(57)【要約】【課題】化学蓄熱反応器において搬送を容易にする。【解決手段】反応媒体と結合することで発熱又は反応媒体が脱離して蓄熱する蓄熱成形と、蓄熱成形体に対して反応媒体を付与する反応媒体拡散層とを含んで構成された複数の蓄熱反応器２８が間隔を開けて配置されると共に、複数の蓄熱反応器２８が一体的に連結された蓄熱反応器カートリッジ２０と、内部に流れる熱媒体によって蓄熱成形体への熱供給及び蓄熱成形体からの熱回収を行う複数の熱交換器２２が間隙を開けて配置されると共に、複数の熱交換器２２が一体的に連結された熱交換器ユニット１８と、を備え、蓄熱反応器２８は、熱交換器２２の間隙に着脱可能に挿入される。【選択図】図１
2018179452.tif 000002
【特許請求の範囲】
【請求項１】
反応媒体と結合することで発熱又は反応媒体が脱離して蓄熱する蓄熱材と、前記蓄熱材に対して反応媒体を付与する反応媒体拡散層とを含んで構成された複数の蓄熱反応器が間隔を開けて配置されると共に、複数の前記蓄熱反応器が一体的に連結された蓄熱反応器カートリッジと、
内部に流れる熱媒体によって前記蓄熱材への熱供給及び前記蓄熱材からの熱回収を行う複数の熱交換器が間隙を開けて配置されると共に、複数の前記熱交換器が一体的に連結された熱交換器ユニットと、
を備え、
前記蓄熱反応器は、前記熱交換器の間隙に着脱可能に挿入される、化学蓄熱反応器。
【請求項２】
前記複数の熱交換器は、前記熱媒体を流す可撓性を有した配管で相互に接続されている、請求項１に記載の化学蓄熱反応器。
【請求項３】
前記蓄熱材、及び前記反応媒体拡散層は、密閉ケースに収容されている、請求項１または請求項２に記載の化学蓄熱反応器。
【請求項４】
前記熱媒体は、液体、または気体である、請求項１〜請求項３の何れか１項に記載の化学蓄熱反応器。
【請求項５】
前記蓄熱反応器を前記熱交換器の間隙に挿入した状態で、複数の前記蓄熱反応器と複数の前記熱交換器とを、積層方向両側から挟持して拘束する拘束部材を有する、請求項１〜請求項４の何れか１項に記載の化学蓄熱反応器。
【請求項６】
前記熱交換器と熱利用対象物とを連結して前記熱交換器を通過した前記熱媒体を前記熱利用対象物に供給する配管、蓄熱反応器カートリッジ、及び熱交換器ユニットを覆う断熱材が設けられている、請求項１〜請求項５の何れか１項に記載の化学蓄熱反応器。
【発明の詳細な説明】
【技術分野】
【０００１】
本発明は、化学反応によって蓄熱、及び放熱を行う化学蓄熱反応器に関する。
【背景技術】
【０００２】
化学反応によって蓄熱、及び放熱を行う化学蓄熱反応器として、例えば特許文献１に記載の化学蓄熱反応器が知られている。この化学蓄熱反応器では、密閉された反応容器の内部に、蓄熱材形成体を備えた蓄熱材反応部と、蓄熱反応部への熱供給、及び熱回収を行う熱交換器とが交互に積層された積層ユニットが収納されている。
【先行技術文献】
【特許文献】
【０００３】
【特許文献１】特開２０１４−１２６２９３号公報
【発明の概要】
【発明が解決しようとする課題】
【０００４】
ところで、蓄熱（熱源）を行う場所と、放熱を行う場所（熱利用対象物）とが離れている場合、化学蓄熱反応器を運搬する必要がある。化学蓄熱反応器は、積層ユニットと、積層ユニットを収容する反応容器とを含んで構成されているため重く、搬送を容易にするための軽量化が簡単にできない。
化学蓄熱反応器を可搬するには、熱交換器に接続されている熱媒配管を取り外す必要があり、熱媒が漏れる懸念がある。
積層ユニットは、反応容器内に密閉状態で収容されているため、蓄熱材形成体の体積は反応容器の内容積の制約を受け、蓄熱密度を大きくすることが容易でない。
【０００５】
本願発明の課題は、搬送が容易で、熱媒の漏れを抑制できる化学蓄熱反応器を提供することにある。
【課題を解決するための手段】
【０００６】
請求項１に記載の化学蓄熱反応器は、反応媒体と結合することで発熱又は反応媒体が脱離して蓄熱する蓄熱材と、前記蓄熱材に対して反応媒体を付与する反応媒体拡散層とを含んで構成された複数の蓄熱反応器が間隔を開けて配置されると共に、複数の前記蓄熱反応器が一体的に連結された蓄熱反応器カートリッジと、内部に流れる熱媒体によって前記蓄熱材への熱供給及び前記蓄熱材からの熱回収を行う複数の熱交換器が間隙を開けて配置されると共に、複数の前記熱交換器が一体的に連結された熱交換器ユニットと、を備え、前記蓄熱反応器は、前記熱交換器の間隙に着脱可能に挿入される。
【０００７】
請求項１に記載の化学蓄熱反応器では、蓄熱材を放熱させる場合には、反応媒体拡散層に反応媒体を流す。反応媒体が、蓄熱材と結合することで、蓄熱材が放熱する。一方、蓄熱材に蓄熱を行う場合には、熱交換器に熱媒体を流す。これにより、熱交換器の熱が蓄熱材に伝達され、蓄熱材が加熱されると、蓄熱材から反応媒体が脱離して蓄熱が行われる。
【０００８】
請求項１に記載の化学蓄熱反応器では、蓄熱反応器が、熱交換器の間隙に着脱可能に挿入される構成であるため、蓄熱反応器カートリッジは熱交換器ユニットに対して容易に着脱することができる。
【０００９】
このため、一例として、蓄熱反応器カートリッジに蓄熱を行う場所、即ち、蓄熱材を加熱するための熱源と、蓄熱反応器カートリッジが放熱を行う場所、即ち、蓄熱反応器カートリッジの熱を利用する熱利用対象物とが離れている場合に、熱源の近傍と、熱利用対象物の近傍の両方に、熱交換器ユニットを配置しておけば、蓄熱材を加熱する際には蓄熱反応器カートリッジのみを熱源の近傍に配置した熱交換器ユニットに搬送して装着し、蓄熱材から放熱を行う場合には熱利用対象物の近傍に配置した熱交換器ユニットに搬送して装着すればよく、従来のように化学蓄熱反応器全体を搬送しなくてもよいため、搬送が容易になる。
また、熱交換器は搬送する必要がなく、熱源または熱利用対象物に対して熱媒配管を着脱する必要がなく、熱媒の漏れを抑制することができる。
さらに、蓄熱反応器カートリッジ、及び熱交換器ユニットは、容器内に収容していないため、蓄熱材の体積が容器の内容積の制限を受けることがない。
【００１０】
請求項２に記載の発明は、請求項１に記載の化学蓄熱反応器において、前記複数の熱交換器は、前記熱媒体を流す可撓性を有した配管で相互に接続されている。
【００１１】
化学蓄熱反応器において、蓄熱反応器カートリッジは、蓄熱反応器が間隔を開けて配置されると共に、複数の蓄熱反応器が一体的に連結されており、熱交換器ユニットは、複数の熱交換器が間隙を開けて配置されると共に、複数の熱交換器一体的に連結されており、蓄熱反応器が、熱交換器の間隙に着脱可能に挿入される構成であるため、蓄熱反応器の間隔、及び熱交換器の間隔のバラツキ（製造上の公差等）が大きいと、熱交換器の間隙に蓄熱反応器を挿入することが困難になる場合がある。
【００１２】
請求項２に記載の化学蓄熱反応器では、複数の熱交換器が、可撓性を有した配管で相互に接続されているため、熱交換器の間隙に蓄熱反応器を挿入する際に、熱交換器と熱交換器との間隔を容易に調整することができる。このため、熱交換器の間隙に蓄熱反応器を容易に挿入することができる。
【００１３】
請求項３に記載の発明は、請求項１または請求項２に記載の化学蓄熱反応器において、前記蓄熱材、及び前記反応媒体拡散層は、密閉ケースに収容されている。
【００１４】
請求項３に記載の化学蓄熱反応器は、蓄熱材が密閉ケースに収容されているため、蓄熱材の漏れ、及び蓄熱材が大気に触れることによる炭酸劣化を抑制することができる。
【００１５】
請求項４に記載の発明は、請求項１〜請求項３の何れか１項に記載の化学蓄熱反応器において、前記熱媒体は、液体、または気体である。
【００１６】
請求項４に記載の化学蓄熱反応器では、液体、または気体を熱媒体として用いることが出来る。気体としては、例えば、可燃物を燃焼させた後に得られる廃熱ガス等を用いることができる。
【００１７】
請求項５に記載の発明は、請求項１〜請求項４の何れか１項に記載の化学蓄熱反応器において、前記蓄熱反応器を前記熱交換器の間隙に挿入した状態で、複数の前記蓄熱反応器と複数の前記熱交換器とを、積層方向両側から挟持して拘束する拘束部材を有する。
【００１８】
蓄熱材は、反応媒体と反応する際に膨張しようとするため、場合によっては、蓄熱反応器が変形する場合が考えられる。請求項５に記載の化学蓄熱反応器では、蓄熱反応器を熱交換器の間隙に挿入した状態で、複数の蓄熱反応器との前記熱交換器とを、拘束部材で積層方向両側から挟持して拘束するため、蓄熱反応器、及び熱交換器の積層方向の変形を抑えることができる。また、蓄熱反応器、及び熱交換器の積層方向の変形を抑えることができるため、部材間に隙間が生じて蓄熱材が漏れ出ることを抑制できる。
【００１９】
請求項６に記載の発明は、請求項１〜請求項５の何れか１項に記載の化学蓄熱反応器。において、前記熱交換器と熱利用対象物とを連結して前記熱交換器を通過した前記熱媒体を前記熱利用対象物に供給する配管、蓄熱反応器カートリッジ、及び熱交換器ユニットを覆う断熱材が設けられている
【００２０】
請求項６に記載の化学蓄熱反応器では、熱交換器と熱利用対象物とを連結して熱交換器を通過した熱媒体を熱利用対象物に供給する配管、蓄熱反応器カートリッジ、及び熱交換器ユニットが断熱材で覆われているため、蓄熱材で生じた熱が外部（大気）に放出されることが抑制され、熱交換器で加熱された熱媒体の温度低下を抑制して、蓄熱材で生じた熱を効率的に熱利用対象物に搬送することができる。
【発明の効果】
【００２１】
本発明の化学蓄熱反応器によれば、搬送が容易で、熱媒の漏れを抑制できる、という優れた効果を有する。
【図面の簡単な説明】
【００２２】
【図１】第１実施形態に係る化学蓄熱反応器を用いた化学蓄熱システムの概略構成を示した構成図である。
【図２】（Ａ）は第１実施形態に係る化学蓄熱反応器を示す側面図であり、（Ｂ）は図２（Ａ）に示す化学蓄熱反応器の平面図である。
【図３】（Ａ）は第１実施形態に係る化学蓄熱反応器の熱交換器ユニットを示す側面図であり、（Ｂ）図３（Ａ）に示す化学蓄熱反応器の熱交換器ユニットの平面図である。
【図４】（Ａ）は蓄熱反応器カートリッジを示す側面図であり、（Ｂ）は蓄熱反応器カートリッジを示す平面図であり、（Ｃ）は蒸発凝縮器の内部構成を示す断面図である。
【図５】（Ａ）は蓄熱反応器を示す縦断面図（図５（Ｂ）に示す蓄熱反応器の５（Ａ）−５（Ａ）線断面図）であり、（Ｂ）は図５（Ａ）に示す蓄熱反応器の５（Ｂ）−５（Ｂ）線断面図であり、（Ｃ）は図５（Ｂ）に示す蓄熱反応器の５（Ｃ）−５（Ｃ）線断面図である。
【図６】（Ａ）は拘束部材で拘束した化学蓄熱反応器を示す側面図であり、（Ｂ）は図６（Ａ）に示す化学蓄熱反応器の平面図である。
【図７】熱源、及び熱源の近傍に配置された化学蓄熱反応器の熱交換器ユニットを示す側面図である。
【図８】第２の実施形態に係る化学蓄熱反応器を示す断面図である。
【図９】第３の実施形態に係る化学蓄熱反応器を示す断面図である。
【図１０】（Ａ）は第４の実施形態に係る化学蓄熱反応器の蓄熱反応器を示す縦断面図であり、（Ｂ）は、図１０（Ａ）に示す蓄熱反応器の１０（Ｂ）−１０（Ｂ）線断面図であり、（Ｃ）は図１０（Ａ）に示す蓄熱反応器の１０（Ｃ）−１０（Ｃ）線断面図である。
【図１１】（Ａ）は第５の実施形態に係る蓄熱反応器の蓄熱反応器を示す縦断面図（図１１（Ｂ）に示す）であり、（Ｂ）は、図１１（Ａ）に示す蓄熱反応器の１０（Ｂ）−１０（Ｂ）線断面図であり、（Ｃ）は図１１（Ｂｂに示す蓄熱反応器の１１（Ｃ）−１１（Ｃ）線断面図である。
【発明を実施するための形態】
【００２３】
［第１の実施形態］
図１乃至図７にしたがって、本発明の第１の実施形態に係る化学蓄熱システム１０を説明する。
図１に示すように、本実施形態の化学蓄熱システム１０では、一例として、化学蓄熱反応器１２が、熱源１４の近傍と、熱利用対象物１６の近傍とに配置されている。本実施形態の熱源１４は、溶鉱炉であるが、他の熱源であってもよい。
【００２４】
（化学蓄熱反応器の構成）
図２〜４に示すように、本実施形態に係る化学蓄熱反応器１２は、熱交換器ユニット１８と、熱交換器ユニット１８に対して着脱可能な蓄熱反応器カートリッジ２０とを含んで構成されている。
【００２５】
（熱交換器ユニット）
図３に示すように、熱交換器ユニット１８は、平面視で矩形状に形成された厚みが薄く、内部が中空とされた箱状に形成された複数の熱交換器２２を備えており、これら複数の熱交換器２２が一定の間隔を開けて上下方向に配置されている。
【００２６】
これらの熱交換器２２の対角方向には、鉛直方向に延びる一対の配管２４が配置されている。各熱交換器２２には、対角方向の両側に、可撓性を有する蛇腹配管２６の一端が接続されており、蛇腹配管２６の他端が配管２４に接続されている。このため、一方の配管２４に熱媒体が供給されると、熱媒体は、一方の蛇腹配管２６、熱交換器２２の内部、他方の蛇腹配管２６を介して他方の配管２４に排出されるように構成されている。なお、配管２４は、配管２５を介して熱源１４または熱利用対象物１６に接続されている。
【００２７】
なお、熱交換器２２は、可撓性を有する蛇腹配管２６を介して配管２４に接続されているため、熱交換器２２をある程度は上下方向に移動することができ、これにより、熱交換器２２と熱交換器２２との間隔を調整可能となっている。
【００２８】
（蓄熱反応器カートリッジ）
図４に示すように、蓄熱反応器カートリッジ２０は、複数の蓄熱反応器２８を備えており、これら複数の蓄熱反応器２８が一定の間隔を開けて上下方向に配置されている。図５に示すように、蓄熱反応器２８は、内部が中空とされた箱状に形成された金属製の密閉容器３０を備えており、密閉容器３０の内部には、蓄熱成形体３２が配置されている。蓄熱成形体３２には、一例として、アルカリ土類金属の酸化物の１つである酸化カルシウム（ＣａＯ：蓄熱材の一例）の成形体が用いられている。この成形体は、例えば、酸化カルシウム粉体をバインダ（例えば粘土鉱物等）と混練し、焼成することで、略矩形ブロック状に形成されている。
【００２９】
ここで、蓄熱成形体３２は、水和に伴って膨張して放熱（発熱）し、脱水に伴って蓄熱（吸熱）するものであり、以下に示す反応で放熱、蓄熱を可逆的に繰り返し得る構成とされている。
【００３０】
ＣａＯ  ＋  Ｈ２Ｏ  ⇔  Ｃａ（ＯＨ）２
この式に蓄熱量、発熱量Ｑを併せて示すと、
ＣａＯ  ＋  Ｈ２Ｏ  →  Ｃａ（ＯＨ）２  ＋  Ｑ
Ｃａ（ＯＨ）２  ＋  Ｑ  →  ＣａＯ  ＋  Ｈ２Ｏ
となる。
【００３１】
なお、一例として、蓄熱成形体３２の１ｋｇ当たりの蓄熱容量は、１．８６［ＭＪ／ｋｇ］とされている。
【００３２】
図５に示すように、蓄熱成形体３２の上面は、フィルター３４で覆われている。フィルター３４は、一例としてφ２００〔μｍ〕の微小貫通孔（図示せず）が、フィルター全面に多数形成された金属材料からなるエッチングフィルターである。フィルター３４は、蓄熱成形体３２を構成する蓄熱材の平均粒径より小さいろ過精度を有している。これにより、フィルター３４は、蓄熱成形体３２を構成する蓄熱材の平均粒径より小さい流路を水蒸気が通過するのを許容する一方、平均粒径よりも大きい蓄熱材の通過を制限するようになっている。
【００３３】
フィルター３４の上には、反応媒体拡散層３６が配置されている。反応媒体拡散層３６は、金属材料からなる矩形状の天板３６Ａと、天板３６Ａに固定される金属材料からなる複数の流路部材３６Ｂとを備えている。
【００３４】
流路部材３６Ｂは、間隔をあけて並んでおり、夫々の流路部材３６Ｂは、天板３６Ａに対して下方側に配置され、フィルター３４側が開放された略Ｕ字状とされている。なお、流路部材３６Ｂは天板３６Ａの下面に溶接されている。
【００３５】
これにより、流路部材３６Ｂの内側、及び隣り合う流路部材３６Ｂの間に、蓄熱成形体３２へ供給される水蒸気、又は蓄熱成形体３２から排出される水蒸気が流れるようになっている。
【００３６】
図４、及び図５に示すように、密閉容器３０は、平面視で矩形状とされた矩形部３０Ａと、平面視で三角形状とされた三角形状部３０Ｂとを備えており、に突出しており、三角形状部３０Ｂの先端側には、配管３８の一端が接続されている。密閉容器３０の側方には、鉛直方向に延びる配管４０が配置されており、この配管４０の側部に密閉容器３０から延びる各配管３８の他端部が接続されている。配管４０の両端部は閉塞されており、配管４０の中間部には、配管４２を介して蒸発凝縮器４４が接続されている。
【００３７】
蒸発凝縮器４４は、貯留した水を蒸発させて蓄熱反応器２８に供給する（水蒸気を生成する）蒸発部、蓄熱反応器２８から受け取った水蒸気を凝縮する凝縮部、及び水蒸気が凝縮された水を貯留する貯留部、としての各機能を備えている。蒸発凝縮器４４は、内部に水が貯留される容器４６を備えており、この容器４６の内部には、水蒸気Ｗを凝縮する、又は水を蒸発するのに用いる熱媒流路４８の一部が配置されている。さらに、熱媒流路４８は、容器４６の内部における少なくとも気相部４６Ａを含む部分で熱交換を行うように配置されている。そして、凝縮時には低温媒体、蒸発時には中温媒体が、熱媒流路４８を流れるようになっている。なお、配管４２の中間部には、蒸発凝縮器４４と蓄熱反応器２８との連通、非連通を切り替えるための開閉弁５０が設けられている。
【００３８】
密閉容器３０、配管３８、配管４０、配管４２、及び蒸発凝縮器４４の内部は相互に連通され、これらの内部空間は予め真空脱気されている。
【００３９】
なお、密閉容器３０の内部で水蒸気を効率的に通過させるには、密閉容器３０の矩形部３０Ａにおいて、三角形状部３０Ｂ側で、矩形部３０Ａの内部に水蒸気が流入するマニホールド部３１の流路断面積（図５（Ｄ）参照）と、配管３８の流路断面積と、反応媒体拡散層３６において水蒸気の通過する流路の流路断面積（図５（Ａ）参照）とは、同等に設定することが好ましい。
【００４０】
ここで、熱利用対象物１６で使用する化学蓄熱反応器１２では、水和に伴って蓄熱成形体３２が放熱（発熱）すると共に膨張する。このため、放熱する際には、図６に示すように、拘束部材５２を用い、積層状態とされた蓄熱反応器２８、及び熱交換器２２を積層方向両側（上下方向両側）から挟持して拘束することが好ましい。積層された蓄熱反応器２８、及び熱交換器２２を積層方向両側から拘束部材５２で挟持することで、蓄熱成形体３２が膨張する際の力による蓄熱反応器２８、及び熱交換器２２の変形を抑制することができる。拘束部材５２としては、例えば、市販のシャコ万力（バイスとも呼ばれる）等を用いることができる。
【００４１】
なお、熱源１４で使用する化学蓄熱反応器１２では、蓄熱成形体３２が加熱されて収縮するため、蓄熱反応器２８、及び熱交換器２２を拘束部材５２で拘束する必要はない。
【００４２】
（化学蓄熱システムの使用方法）
次に、化学蓄熱反応器１２の使用方法について説明する。
（熱の利用）
化学蓄熱反応器１２において、蓄熱反応器２８の蓄熱成形体３２から発熱（放熱）させ、その熱を熱利用対象物１６で使用する場合には、熱利用対象物１６に接続された熱交換器ユニット１８に、予め蓄熱しておいた蓄熱成形体３２を有する蓄熱反応器カートリッジ２０を挿入し、蒸発凝縮器４４で生成した水蒸気を蓄熱反応器２８に供給する。
【００４３】
水蒸気は、反応媒体拡散層３６を流れ、そして、水蒸気はフィルター３４を通過して蓄熱成形体３２と接触する。これにより、蓄熱成形体３２は、水和反応を生じつつ発熱（放熱）する。この熱は、熱交換器２２の内部を流れる熱媒体によって、熱利用対象物１６に輸送することができる。
【００４４】
（蓄熱）
一方、化学蓄熱反応器１２において蓄熱成形体３２に熱を蓄熱させる際には、発熱（放熱）の終了した蓄熱反応器カートリッジ２０を、熱利用対象物１６に接続された熱交換器ユニット１８から抜き取り、熱源１４に接続された熱交換器ユニット１８に搬送して装着する。
【００４５】
そして、熱交換器２２の内部に、熱源１４から排出される廃熱ガスを供給する。これにより、熱交換器２２を流れる廃熱ガスの熱によって蓄熱成形体３２が脱水反応を生じ、この熱が蓄熱成形体３２に蓄熱される。なお、蓄熱成形体３２から離脱された水蒸気は、フィルター３４から反応媒体拡散層３６に流れ込む。反応媒体拡散層３６に流れ込んだ水蒸気は、蒸発凝縮器４４内に流れ込み、蒸発凝縮器４４の気相部４６Ａにおいて、熱媒流路４８を流れる低温媒体によって水蒸気が冷却され、凝縮された水が容器４６の液相部４６Ｂに貯留される。
【００４６】
本実施形態の化学蓄熱反応器１２は上記の構成を備えているので、以下の効果が得られる。
【００４７】
（１）  蓄熱、及び発熱に際して、蓄熱反応器カートリッジ２０のみを搬送すればよいため、化学蓄熱反応器１２を搬送する場合に比較して、搬送するものが軽く、搬送が容易になる。
【００４８】
（２）  従来の化学蓄熱反応器は、熱源と熱利用対象物とが離れている場合、化学蓄熱反応器を搬送しなければならなかったが、本実施形態では、熱交換器ユニット１８は搬送する必要がない。即ち、熱源１４または熱利用対象物１６と熱交換器ユニット１８とを接続する熱媒配管を着脱する必要がないため、熱媒（本実施形態では廃熱ガス）の漏れを抑制することができ、安全性を確保することができる。
【００４９】
（３）  蓄熱反応器カートリッジ２０、及び熱交換器ユニット１８は、容器に収容していないため、蓄熱成形体３２の体積が容器の内容積の制限を受けることがない。
【００５０】
（４）  蓄熱反応器カートリッジ２０は、内部を密閉しているため、蓄熱成形体３２が外気（大気）に触れることが無く、蓄熱材の炭酸劣化を抑制することができ、蓄熱材の性能を維持できる。そのため、化学蓄熱反応器１２の性能を維持できる。
【００５１】
（５）  本実施形態の化学蓄熱反応器１２は、発熱させた場合に蓄熱成形体３２が膨張するので、拘束部材５２は、熱利用対象物１６の化学蓄熱反応器１２のみで使用すればよく、熱源１４の化学蓄熱反応器１２では必要としないので、拘束部材５２を２個用いる必要がなく、コストダウンとなる。
【００５２】
（６）  本実施形態の化学蓄熱反応器１２は、蓄熱と放熱とを別々の箇所で行っており、熱源１４で使用する化学蓄熱反応器１２では拘束部材５２が不要となっている。したがって、拘束部材５２は１個で済み、熱源１４で使用する化学蓄熱反応器１２、及び熱利用対象物１６の各々で使用するために拘束部材５２を２個必要とせず、コストダウンとなる。
【００５３】
（７）  なお、本実施形態では、熱源１４である溶鉱炉の廃熱ガスを熱交換器２２に供給したが、本発明はこれに限らず、図７に示すように、熱源１４と化学蓄熱反応器１２の熱交換器２２との間に、熱交換器５４を配置し、熱交換器５４の熱源側に溶鉱炉の熱で加熱されるオイルを循環させる配管５６を接続し、熱交換器５４の化学蓄熱反応器側にオイルや不凍液等の液体、または気体を循環させる配管５８を接続し、配管５６を循環するオイルと、配管５８を循環する液体、または気体との間で熱交換を行い、オイルで加熱された液体、または気体で熱交換器２２を加熱するようにしてもよい。
【００５４】
［第２の実施形態］
次に、図８にしたがって、本発明の第２の実施形態に係る化学蓄熱反応器１２を説明する。なお、第１の実施形態と同一構成には同一符号を付し、その説明は省略する。
【００５５】
図８に示すように、本実施形態の化学蓄熱反応器１２は、全体が断熱材６０で覆われている。また、熱利用対象物１６と接続される配管２４、及び熱利用対象物１６に至る経路の配管も断熱材６２で覆われている。なお、本実施形態の断熱材６０、及び断熱材６２は、グラスウール、ロックウール等の柔軟な断熱材が用いられている。
【００５６】
これにより、化学蓄熱反応器１２から熱利用対象物１６へ至る熱媒体の熱が大気に放出することが抑制され、加熱された熱媒体の温度低下が抑制されて、蓄熱材で生じた熱を効率的に熱利用対象物１６に搬送することができる。
【００５７】
［第３の実施形態］
次に、図９にしたがって、本発明の第３の実施形態に係る化学蓄熱反応器１２を説明する。なお、前述した実施形態と同一構成には同一符号を付し、その説明は省略する。
【００５８】
本実施形態の化学蓄熱反応器１２は、化学蓄熱反応器１２の上下に硬質の断熱板６４が配置されており、化学蓄熱反応器１２が断熱板６４を介して拘束部材５２で拘束されている。断熱板６４の材料としては、例えば、セラミックス等が用いられている。
本実施形態においても、化学蓄熱反応器１２から熱利用対象物１６へ至る熱媒体の熱が大気に放出することが抑制され、加熱された熱媒体の温度低下が抑制されて、蓄熱材で生じた熱を効率的に熱利用対象物１６に搬送することができる。
【００５９】
［第４の実施形態］
次に、図１０にしたがって、本発明の第４の実施形態に係る化学蓄熱反応器１２の蓄熱反応器２８を説明する。なお、前述した実施形態と同一構成には同一符号を付し、その説明は省略する。
【００６０】
前述した実施形態の蓄熱反応器２８では、密閉容器３０の内部に蓄熱成形体３２が１個収納されていたが、本発明はこれに限らず、図１０に示すように、波型に形成された反応媒体拡散層６６の両側にフィルター３４を介して蓄熱成形体３２を配置した構成としてもよい。
【００６１】
［第５の実施形態］
次に、図１１にしたがって、本発明の第５の実施形態に係る化学蓄熱反応器１２の蓄熱反応器２８を説明する。なお、前述した実施形態と同一構成には同一符号を付し、その説明は省略する。
前述した第２の実施形態の蓄熱反応器２８では、密閉容器３０の内部に蓄熱成形体３２が１個収納されていたが、本発明はこれに限らず、図１１に示すように、波型に形成された２枚の反応媒体拡散層６６を水平方向に間隔を開けて配置し、反応媒体拡散層６６の両側にフィルター３４を介して蓄熱成形体３２を配置した構成としてもよい。
【００６２】
［その他の実施形態］
なお、本発明を特定の実施形態について詳細に説明したが、本発明は係る実施形態に限定されるものではなく、本発明の範囲内にて他の種々の実施形態をとることが可能であることは当業者にとって明らかである。
【符号の説明】
【００６３】
１２      化学蓄熱反応器
１８      熱交換器ユニット
２０      蓄熱反応器カートリッジ
２２      熱交換器
２８      蓄熱反応器
３２      蓄熱材成形体（蓄熱材）
３６      反応媒体拡散層
６６      反応媒体拡散層
【図１】
2018179452.tif 000003
【図２】
2018179452.tif 000004
【図３】
2018179452.tif 000005
【図４】
2018179452.tif 000006
【図５】
2018179452.tif 000007
【図６】
2018179452.tif 000008
【図７】
2018179452.tif 000009
【図８】
2018179452.tif 000010
【図９】
2018179452.tif 000011
【図１０】
2018179452.tif 000012
【図１１】
2018179452.tif 000013